(57)【要約】【課題】エアバッグの展開時間を延長すると共に、エアバッグを適切に展開させる巻込防止装置を提供する。【解決手段】フロントバンパ３下方及び車両幅方向へ展開可能なエアバッグ６と、エアバッグ６を展開させるよう車両幅方向に沿って複数配置されるインフレータ７とを備え、複数のインフレータ７は、着火の順番を段階的に遅らせるように構成される。【選択図】図２
2006137300.tif 000002
【特許請求の範囲】
【請求項１】
フロントバンパ下方及び車両幅方向へ展開可能なエアバッグと、該エアバッグを展開させるよう車両幅方向に沿って複数配置されるインフレータとを備え、前記複数のインフレータは、着火の順番を段階的に遅らせるように構成されたことを特徴とする巻込防止装置。
【請求項２】
前記複数のインフレータは、車両幅方向の外方から内方へ向かって順番に着火するように構成されたことを特徴とする請求項１記載の巻込防止装置。
【発明の詳細な説明】
【技術分野】
【０００１】
本発明は、巻込防止装置に関するものである。
【背景技術】
【０００２】
トラックやトレーラ等のように車側下部がボディパネルで覆われていない車両では、当該車両の後側の車輪に歩行者や二輪車及び搭乗者が巻き込まれないようにするために、板状、すのこ状、網状、あるいは棒状のサイドガードを前後の車輪の間に設けて巻込防止装置としている。
【０００３】
通常の巻込防止装置では、サイドガード下縁の地上高を道路運送車両法の規定を満たすように４００ｍｍ程度に設定してあるが、これぐらいの地上高だと、路上に倒れた歩行者の巻込防止が十分ではない。
【０００４】
そこで、特に車両の転向（右左折）時に前車輪による歩行者等の巻き込みを防ぐ手段として、車両前方のボンネット又は前方両サイド等に展開可能なエアバッグと、エアバッグを展開させるインフレータとを配置することが考えられている（例えば、特許文献１参照）。
【特許文献１】特開２００１−１７１４５１号公報
【発明の開示】
【発明が解決しようとする課題】
【０００５】
しかしながら、インフレータを着火してエアバッグの展開後にはエアバッグの内圧がすぐに低減するため、エアバッグの展開時間が短いという問題があった。又、複数のインフレータを備えた場合には、インフレータの着火のタイミングによってはエアバッグ内に内圧が一度に集中するため、エアバッグがバーストする虞れがあった。更に、エアバッグがフロントバンパ下方及び車両幅方向へ展開し得るものである場合には、エアバッグを適切に展開させることができないという問題があった。
【０００６】
本発明は、斯かる実情に鑑み、エアバッグの展開時間を長くすると共に、エアバッグを適切に展開させる巻込防止装置を提供しようとするものである。
【課題を解決するための手段】
【０００７】
本発明は、フロントバンパ下方及び車両幅方向へ展開可能なエアバッグと、該エアバッグを展開させるよう車両幅方向に沿って複数配置されるインフレータとを備え、前記複数のインフレータは、着火の順番を段階的に遅らせるように構成されたことを特徴とする巻込防止装置にかかるものである。
【０００８】
本発明において、前記複数のインフレータは、車両幅方向の外方から内方へ向かって順番に着火するように構成されることが好ましい。
【０００９】
而して、このように本発明によれば、複数のインフレータは、着火の順番を段階的に遅らせるので、着火により生じるエアバッグの内圧を段階的に発生させて内圧を保持し、結果的にエアバッグの展開時間を長くすることができる。又、着火の順番を段階的に遅らせるので、エアバッグ内に内圧が一度に集中するような状態を防止し、エアバッグのバーストを好適に防止することができる。更に、車両幅方向に沿って複数配置されるインフレータが段階的に着火するので、エアバッグを適切に展開させることができる。
【００１０】
複数のインフレータは、車両幅方向の外方から内方へ向かって順番に着火するように構成されると、エアバッグ内において内圧を車両幅方向に沿って外方から内方へ順番に発生させるので、エアバッグを一層適切に展開させることができる。
【発明の効果】
【００１１】
本発明の巻込防止装置によれば、エアバッグの展開時間を長くすることができると共に、エアバッグを適切に展開させることができるという優れた効果を奏し得る。
【発明を実施するための最良の形態】
【００１２】
以下本発明の実施の形態を図面を参照しつつ説明する。
【００１３】
図１〜図３は本発明の巻込防止装置の実施の形態の一例を示すものあり、この巻込防止装置１は、キャブ２の前面下部にあるフロントバンパ３の裏面側に位置するよう、シャシフレーム４の前端下方にブラケット（図示せず）を介して支持されている。
【００１４】
又、巻込防止装置１は、ブラケット（図示せず）に支持されて車両幅方向全長に延在し且つ下面に開口を有する格納ケース５と、格納ケース５内に折りたたんだ状態で格納されるエアバッグ６と、格納ケース５の上面で車両幅方向に沿って複数箇所で配置（図１では６個）されるインフレータ７と、衝撃を検出する衝撃感知センサ（図示せず）と、エアバッグ６の内圧を検出する圧力センサ（図示せず）と、衝撃感知センサ及び圧力センサからの検出信号を受けてインフレータ７の着火を制御する制御装置（図示せず）とを備えている。なお、図１中、８はフロントタイヤを示し、図２中、６の実線はエアバッグが格納されている状態を示し、６の破線はエアバッグが展開されている状態を示している。
【００１５】
ここで、エアバッグ６は、一つの内部空間で全体を展開し得るよう、フロントバンパ３の下方及び車両幅方向全長にわたり展開可能に構成されており、複数のインフレータ７は、夫々所定の間隔を介して、格納ケース５の車両幅方向の両側（外方）の第一箇所９（図１では夫々２個）、車両幅方向の内側（内方）の第二箇所１０（図１では１個）、及び車両幅方向の内側（内方）の第三箇所１１（図１では１個）に配置されている。
【００１６】
又、複数のインフレータ７は、制御装置からの信号により、両側の第一箇所９、内側の第二箇所１０、内側の第三箇所１１の順番に着火するように、着火の順番を段階的に遅らせる構成になっている。
【００１７】
以下、本発明の実施の形態例の作用を説明する。
【００１８】
車両の前側で歩行者等の物体が衝突した際には、衝撃を衝撃感知センサ（図示せず）により検出して制御装置（図示せず）に検出信号を送り、制御装置では衝撃が所定の設定値を超えた条件でインフレータ７に制御信号を送り、インフレータ７は制御信号に基づいて、車両幅方向の両側（外方）から内方へ向かうよう、両側の第一箇所９、内側の第二箇所１０、内側の第三箇所１１の順番に着火し、インフレータ７から窒素ガスを送り込んでエアバッグ６内に内圧を生じさせ、歩行者等の物体を保護するようエアバッグ６を展開させる。
【００１９】
この時、エアバッグ６の内圧は、インフレータ７の着火の順番を段階的に遅らせることによって、図３のグラフに示す如く、最初に、両側の第一箇所９に位置するインフレータ７の着火により最初の内圧のピークを形成し（図３ではａ）、次に、内側の第二箇所に位置するインフレータ７の着火により二番目の内圧のピークを形成し（図３ではｂ）、更に内側の第三箇所に位置するインフレータ７の着火により三番目の内圧のピークを形成し（図３ではｃ）、夫々エアバッグ６の内圧をバースト域に到達させないようにしている。又、エアバッグ６の内圧を内圧センサ（図示せず）で監視することにより内圧が所定の内圧値に下がった時点で次のインフレータ７を着火するようにしても良いし、内圧がバースト域に近接した場合には、後のインフレータ７の着火を停止するようにしても良い。
【００２０】
而して、本発明の実施の形態によれば、複数のインフレータ７は、着火の順番を段階的に遅らせるので、着火により生じるエアバッグ６の内圧を段階的に発生させて内圧を保持し、結果的にエアバッグ６の展開時間を長くすることができる。又、着火の順番を段階的に遅らせるので、エアバッグ６内に内圧が一度に集中するような状態を防止し、エアバッグ６のバーストを好適に防止することができる。更に、車両幅方向に沿って複数箇所９，１０，１１に配置されるインフレータ７が段階的に着火するので、エアバッグ６を適切に展開させることができる。
【００２１】
本発明の実施の形態において、複数のインフレータ７は、車両幅方向の外方から内方へ向かって順番に着火するように構成されると、エアバッグ６内において内圧を車両幅方向に沿って外方から内方へ順番に発生させるので、エアバッグ６を折りたたむ折目等でエアが詰まることなく、エアバッグ６を車両幅方向及びフロントバンパ３下方へ一層適切に展開させることができる。
【００２２】
尚、本発明の巻込防止装置は、上述の図示例にのみ限定されるものではなく、エアバッグはフロントタイヤの側方まで展開するものでも良いこと、本発明の如き作用効果を生じるならばインフレータの位置や数を適宜変更しても良いこと、その他、本発明の要旨を逸脱しない範囲内において種々変更を加え得ることは勿論である。
【図面の簡単な説明】
【００２３】
【図１】本発明を実施する形態の一例を示す平面図である。
【図２】図１のＩＩ−ＩＩ矢視図である。
【図３】インフレータの段階的な着火による時間経過と内圧値の関係を示すグラフである。
【符号の説明】
【００２４】
３  フロントバンパ
６  エアバッグ
７  インフレータ
【図１】
2006137300.tif 000003
【図２】
2006137300.tif 000004
【図３】
2006137300.tif 000005